【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
位置指示装置がタブレット上で指示する位置をディスプレイ画面上の位置に座標変換してマッピングするためのマッピング装置であって、
第１のスケーリング関係及び前記第１のスケーリング関係とは異なる第２のスケーリング関係に基づいて、前記位置指示装置が前記タブレット上で指示した位置の座標データを前記ディスプレイ画面上の位置の座標データに変換するためのマッピングユニットと、
前記マッピングユニットによる、前記第１のスケーリング関係及び前記第１のスケーリング関係とは異なる前記第２のスケーリング関係を切り替えるための入力装置とを備えるとともに、
前記マッピングユニットは、前記入力装置による前記第１のスケーリング関係と前記第２のスケーリング関係との間での切り替えの際に、前記位置指示装置がタブレット上で指示する位置を、前記ディスプレイの画面上の同じ位置に留まるように座標変換して前記ディスプレイに供給するようにしたことを特徴とするマッピング装置。
【請求項２】
前記入力装置は、前記位置指示装置に設けられていることを特徴とする、請求項１に記載のマッピング装置。
【請求項３】
前記入力装置は、前記タブレットに設けられていることを特徴とする、請求項１に記載のマッピング装置。
【請求項４】
位置指示装置と、タブレットと、ディスプレイと、前記位置指示装置が前記タブレット上で指示する位置を前記ディスプレイ画面上の位置に座標変換してマッピングするためのマッピングユニットを備えたマッピングシステムであって、
前記マッピングユニットは、第１のスケーリング関係及び前記第１のスケーリング関係とは異なる第２のスケーリング関係に基づいて、前記位置指示装置が前記タブレット上で指示した位置の座標データを前記ディスプレイ画面上の位置の座標データに変換するとともに、
前記マッピングユニットによる、前記第１のスケーリング関係及び前記第１のスケーリング関係とは異なる前記第２のスケーリング関係を切り替えるための入力装置を備え、
前記マッピングユニットは、前記入力装置による前記第１のスケーリング関係と前記第２のスケーリング関係との間での切り替えの際に、前記位置指示装置がタブレット上で指示する位置を、前記ディスプレイの画面上の同じ位置に留まるように座標変換して前記ディスプレイに供給するようにしたことを特徴とするマッピングシステム。
【請求項５】
前記入力装置は、前記位置指示装置に設けられていることを特徴とする、請求項４に記載のマッピングシステム。
【請求項６】
前記入力装置は、前記タブレットに設けられていることを特徴とする、請求項４に記載のマッピングシステム。
【請求項７】
位置指示装置がタブレット上で指示する位置をディスプレイ画面上の位置に座標変換してマッピングするためのマッピング方法であって、
第１のスケーリング関係及び前記第１のスケーリング関係とは異なる第２のスケーリング関係に基づいて、前記位置指示装置が前記タブレット上で指示した位置の座標データを前記ディスプレイ画面上の位置の座標データに座標変換するとともに、前記第１のスケーリング関係及び前記第１のスケーリング関係とは異なる前記第２のスケーリング関係を切り替えるための入力装置による前記第１のスケーリング関係と前記第２のスケーリング関係との間での切り替えの際に、前記位置指示装置がタブレット上で指示する位置を、前記ディスプレイの画面上の同じ位置に留まるように座標変換するようにしたことを特徴とするマッピング方法。
【請求項８】
位置指示装置がタブレット上で指示する位置をディスプレイ画面上の位置に座標変換して表示するための位置表示方法であって、
第１のスケーリング関係及び前記第１のスケーリング関係とは異なる第２のスケーリング関係に基づいて、前記位置指示装置が前記タブレット上で指示した位置の座標データを前記ディスプレイ画面上の位置の座標データに座標変換するとともに、前記第１のスケーリング関係及び前記第１のスケーリング関係とは異なる前記第２のスケーリング関係を切り替えるための入力装置による前記第１のスケーリング関係と前記第２のスケーリング関係との間での切り替えの際に、前記位置指示装置がタブレット上で指示する位置を、前記ディスプレイの画面上の同じ位置に留まるように座標変換するようにしたことを特徴とする位置表示方法。
【手続補正２】
【補正対象書類名】明細書
【補正対象項目名】発明の名称
【補正方法】変更
【補正の内容】
【発明の名称】マッピング装置、マッピングシステム、マッピング方法及び位置表示方法
【手続補正３】
【補正対象書類名】明細書
【補正対象項目名】０００５
【補正方法】変更
【補正の内容】
【０００５】
上記課題を解決するため、本発明のマッピング装置は、位置指示装置がタブレット上で指示する位置をディスプレイの画面上の位置に座標変換してマッピングするためのマッピング装置であって、第１のスケーリング関係及びこの第１のスケーリング関係とは異なる第２のスケーリング関係に基づいて、位置指示装置がタブレット上で指示した位置の座標データをディスプレイ画面上の位置の座標データに変換するためのマッピングユニットを備えている。
そして、このマッピングユニットによる、第１のスケーリング関係及び第１のスケーリング関係とは異なる第２のスケーリング関係を切り替えるための入力装置とを備えるとともに、マッピングユニットは、入力装置による第１のスケーリング関係と第２のスケーリング関係との間での切り替えの際に、位置指示器がタブレット上で指示する位置を、ディスプレイの画面上の同じ位置に留まるように座標変換してディスプレイ供給するようにしている。
【手続補正４】
【補正対象書類名】明細書
【補正対象項目名】０００６
【補正方法】変更
【補正の内容】
【０００６】
また、本発明のマッピングシステムは、位置指示装置と、タブレットと、ディスプレイと、位置指示装置が前記タブレット上で指示する位置を前記ディスプレイの画面上の位置に座標変換してマッピングするためのマッピングユニットを備えたシステムである。
このマッピングシステムに用いられるマッピングユニットは、第１のスケーリング関係及び第１のスケーリング関係とは異なる第２のスケーリング関係に基づいて、位置指示装置がタブレット上で指示した位置の座標データを前記ディスプレイ画面上の位置の座標データに変換するとともに、マッピングユニットによる、第１のスケーリング関係及び第１のスケーリング関係とは異なる第２のスケーリング関係を切り替えるための入力装置を備えている。そして、マッピングユニットは、入力装置による第１のスケーリング関係と第２のスケーリング関係との間での切り替えの際に、位置指示器がタブレット上で指示する位置を、ディスプレイの画面上の同じ位置に留まるように座標変換してディスプレイに供給する。
【手続補正５】
【補正対象書類名】明細書
【補正対象項目名】０００７
【補正方法】変更
【補正の内容】
【０００７】
また、本発明のマッピング方法は、位置指示装置がタブレット上で指示する位置をディスプレイの画面上の位置に座標変換してマッピングするための方法であって、第１のスケーリング関係及び第１のスケーリング関係とは異なる第２のスケーリング関係に基づいて、位置指示装置がタブレット上で指示した位置の座標データをディスプレイ画面上の位置の座標データに座標変換する。そして、第１のスケーリング関係及び第１のスケーリング関係とは異なる第２のスケーリング関係を切り替えるための入力装置による第１のスケーリング関係と第２のスケーリング関係との間での切り替えの際に、位置指示器がタブレット上で指示する位置を、ディスプレイの画面上の同じ位置に留まるように座標変換する。
【手続補正６】
【補正対象書類名】明細書
【補正対象項目名】０００８
【補正方法】変更
【補正の内容】
【０００８】
また、本発明の位置表示方法は、位置指示装置がタブレット上で指示する位置をディスプレイの画面上の位置に座標変換して表示する方法であって、第１のスケーリング関係及び第１のスケーリング関係とは異なる第２のスケーリング関係に基づいて、位置指示装置がタブレット上で指示した位置の座標データをディスプレイ画面上の位置の座標データに座標変換する。そして、第１のスケーリング関係及び第２のスケーリング関係を切り替えるための入力装置による、第１のスケーリング関係と第２のスケーリング関係との間での切り替えの際に、位置指示器がタブレット上で指示する位置を、ディスプレイの画面上の同じ位置に留まるように座標変換する。
【手続補正７】
【補正対象書類名】明細書
【補正対象項目名】０００９
【補正方法】削除
【補正の内容】